(57)【特許請求の範囲】
【請求項１】
複数色の毛髪を植設してなるかつらの製造方法において、
かつら装着者頭部形状の雌型を作製する工程と、
前記雌型に外周線を記入すると共に、前記外周線の内側に当該外周線とほぼ同形状の内周線を記入することにより前記外周線と前記内周線に挾まれた外縁部と及び前記内周線の内側である内側部とを形成する工程と、
前記雌型の前頭部から後頭部にかけての長さを２等分する横中心線と左部から右部にかけての長さを２等分する縦中心線とが交差する点を中心点とし、前記内周線と前記縦中心線との交点を起点として左右に所定の距離に位置する点と前記中心とを直線で結び、この直線を外縁部内に延長することにより前記外周線及び前記内周線で囲まれた部分を植設区画とすると共に、さらに前記植設区画の左右に当該植設区画から所定の距離に位置する前記内周線上の点と前記中心点とを直線で結んでこの直線を外縁部内に延長することにより他の植設区画を形成し、これを順次繰り返すことによって複数の植設区画を備えた外縁部区画を形成する工程と、
前記縦中心線から左右に所定の距離を隔てた位置に前記縦中心線と平行な直線を前記内周線に至るまで設け、さらに前記直線から所定の距離を隔てた位置に前記縦中心線と平行な他の直線を前記内周線に至るまで設け、これを順次繰り返す一方、前記横中心線から上下に所定の距離を隔てた位置に前記横中心線と平行な直線を前記内周線に至るまで設け、前記直線から所定の距離を隔てた位置に前記横中心線と平行な他の直線を前記内周線に至るまで設け、これを順次繰り返すことにより各前記直線によって区画された複数の植設区画を備えた内側部区画を形成する工程と、
前記外縁部区画に、前記雌型の前頭部中心に位置する前記植設区画に複数色の毛髪のうち相対的に一番明るい色の毛髪を配置するための記号を記入し、当該植設区画を起点にそれよりも暗い色の毛髪を左右対称に、且つ、相対的に明るい色の毛髪から順に配置するための記号を配列すると共に、当該配列を後頭部まで順次繰り返して前記記号を記入する工程と、
前記内側部区画に、前記外縁部の前頭部中心に位置する前記植設区画の下側に位置する植設区画から後頭部にかけて縦に配列された各植設区画に相対的に明るい色の毛髪から順に配置するための記号を配列すると共に、当該配列を後頭部まで順次繰り返して前記記号を記入する工程と、
さらに、同一色の毛髪が前記縦中心線を挟んで右側部分は右肩下がりに、前記縦中心線を挟んで左側部分は左肩上がりとなるように斜めに配置されるように前記記号を配置する工程と、
まだ記号が記入されていない内側部についても相対的に明るい色の毛髪から順に配置する配列順に従って記号を記入する工程と、
予め準備した前記かつら装着者の頭部型に複数の植設区画が形成された前記雌型を配置すると共に、前記雌型の上にかつらベースを配置する工程と、
前記記号に従い複数色の毛髪をそれぞれ各前記植設区画に植設する工程と、
を備えてなることを特徴とする複数色の毛髪を植設してなるかつらの製造方法。
【発明の詳細な説明】
【技術分野】
【０００１】
本発明は、複数色の毛髪を植設するかつらに係り、特に、微細なグラデーション効果や立体感及び装着者の自毛との一体感を持たせて自然感を向上させる複数色の毛髪を植設してなるかつらに関する。
【背景技術】
【０００２】
従来のかつらは、合成樹脂からなる人工皮膚やネットによって形成されたかつらベースに基本的に一色の人工毛髪又は人毛が植設されていた。また、かつらでカラーグラデーションなどのおしゃれ感覚を所望する場合には、例えば、「特許文献１」に開示されているように、複数色の毛髪を混合する所謂ブレンドミックスした状態でランダムに植設する方法や、「特許文献２」のようにかつらの所定部位ごとに指定された色の毛髪を植設してグラデーション効果を持たせる方法が広く行われている。更に、かつらの所定の位置に基本色とは異なる色の毛髪をポイント的に植設する方法も行われている。
【特許文献１】特開昭６３−１９６７０５号公報（全文）
【特許文献２】実用新案登録第３０７５３６４号公報（全文）
【発明の開示】
【発明が解決しようとする課題】
【０００３】
「特許文献１」のように複数色の毛髪を混合した所謂ブレンドミックスしたものをランダムに植設する方法の場合、混合する割合や色によってはかつらに植設した時に毛髪全体の分散が不十分になり、色の偏りが発生して見栄えが悪くなったり、思い通りの色やグラデーションを表現することが困難である問題点がある。
一方、「特許文献２」のようにかつらの所定部位ごとに指定された色の毛髪を植設する場合、かつらの中で所定部位の境界付近は毛色の差が大きくなりグラデーション効果が得られない問題点がある。また、このような方法で所望のグラデーション効果を得ようとする時には、所定部位の間隔をかなり細く設定し、かつ植設する毛髪の色も多数必要となる。更に、かつらの所定の位置に基本色とは異なる色の毛髪をポイント的に植設する方法の場合、植設する基本色とポイントで植設する毛髪の色、ポイントで植設する位置のバランスが悪いと、付け毛をしているように見えてしまい、見た目が悪くなる問題点がある。
【０００４】
また、前記何れの方法も、複数の毛色が混在する場合には植設されている毛髪の中で明るい色の毛髪が目立ち、他の色の毛髪が隠れて沈んでしまい所望のグラデーション効果が十分にでなかった。また、かつら全体の立体感が失われ、他人から外見でかつらの装着をしていることが判り易い問題点がある。その上、現代は老若男女を問わず頭髪にヘアカラーを入れたり、脱色したりしている人が多いが、ヘアカラー及び脱色での処理ムラ、あるいは頭髪へのダメージの差により多色の毛髪が混在している状態となっている。このような人がかつらを装着する場合には、自毛とかつらに植設されている毛髪との差異を薄めるためにかなり微細な範囲で所定の位置に多数の色の毛髪を植設する必要があって、このような場合に従来の技術では前記のようにかつら装着者が満足するかつらは得られない。
【０００５】
本発明は、以上の問題点を解決するものであり、かつらベースに複数色の毛髪を植設するにあたり、かつらベースを一定の規則に従い分画し、各色の毛髪を所定区画に植設することにより、微細なカラーグラデーション、立体感、外観上自然なかつらが所望通り制御できる複数色の毛髪を植設してなるかつらを提供することを目的とする。
【課題を解決するための手段】
【０００６】
上記目的を達成するために、請求項１の発明は、複数色の毛髪を植設してなるかつらの製造方法において、かつら装着者頭部形状の雌型を作製する工程と、前記雌型に外周線を記入すると共に、前記外周線の内側に当該外周線とほぼ同形状の内周線を記入することにより前記外周線と前記内周線に挾まれた外縁部と及び前記内周線の内側である内側部とを形成する工程と、前記雌型の前頭部から後頭部にかけての長さを２等分する横中心線と左部から右部にかけての長さを２等分する縦中心線とが交差する点を中心点とし、前記内周線と前記縦中心線との交点を起点として左右に所定の距離に位置する点と前記中心とを直線で結び、この直線を外縁部内に延長することにより前記外周線及び前記内周線で囲まれた部分を植設区画とすると共に、さらに前記植設区画の左右に当該植設区画から所定の距離に位置する前記内周線上の点と前記中心点とを直線で結んでこの直線を外縁部内に延長することにより他の植設区画を形成し、これを順次繰り返すことによって複数の植設区画を備えた外縁部区画を形成する工程と、前記縦中心線から左右に所定の距離を隔てた位置に前記縦中心線と平行な直線を前記内周線に至るまで設け、さらに前記直線から所定の距離を隔てた位置に前記縦中心線と平行な他の直線を前記内周線に至るまで設け、これを順次繰り返す一方、前記横中心線から上下に所定の距離を隔てた位置に前記横中心線と平行な直線を前記内周線に至るまで設け、前記直線から所定の距離を隔てた位置に前記横中心線と平行な他の直線を前記内周線に至るまで設け、これを順次繰り返すことにより各前記直線によって区画された複数の植設区画を備えた内側部区画を形成する工程と、
前記外縁部区画に、前記雌型の前頭部中心に位置する前記植設区画に複数色の毛髪のうち相対的に一番明るい色の毛髪を配置するための記号を記入し、当該植設区画を起点にそれよりも暗い色の毛髪を左右対称に、且つ、相対的に明るい色の毛髪から順に配置するための記号を配列すると共に、当該配列を後頭部まで順次繰り返して前記記号を記入する工程と、前記内側部区画に、前記外縁部の前頭部中心に位置する前記植設区画の下側に位置する植設区画から後頭部にかけて縦に配列された各植設区画に相対的に明るい色の毛髪から順に配置するための記号を配列すると共に、当該配列を後頭部まで順次繰り返して前記記号を記入する工程と、さらに、同一色の毛髪が前記縦中心線を挟んで右側部分は右肩下がりに、前記縦中心線を挟んで左側部分は左肩上がりとなるように斜めに配置されるように前記記号を配置する工程と、まだ記号が記入されていない内側部についても相対的に明るい色の毛髪から順に配置する配列順に従って記号を記入する工程と、予め準備した前記かつら装着者の頭部型に複数の植設区画が形成された前記雌型を配置すると共に、前記雌型の上にかつらベースを配置する工程と、前記記号に従い複数色の毛髪をそれぞれ各前記植設区画に植設する工程とを備えてなることを特徴とする。
【発明の効果】
【００１６】
本発明の請求項１の複数色の毛髪を植設してなるかつらの製造方法によれば、毛髪がかつらベースの外縁部や内側部に仮想形成された区画に植設され、その植設方法として複数色の毛髪を一定の配列順及び配列方向によって植設するものからなり、従来技術と全く異なるグラデーション効果，立体感，一体感，自然感を持たせることができる。
また、相対的に一番明るい色の毛髪をかつらベースの外縁部の前頭部中心に位置する植設区画に植設することにより前述とほぼ同一の効果を上げることができる。
また、前記植設する毛髪の色の配列順が、前記外縁部においては、前記かつらベースの前頭部中心に位置する前記植設区画に相対的に一番明るい色の毛髪を配置し、該植設区画を起点に左右対称に相対的明るい色の毛髪から順に繰り返しに配列され、他方、内側部においては、前記かつらベースの前頭部から後頭部にかけて相対的に明るい色の毛髪から順に繰り返し配列されているから本発明の効果を確実に上げることができる。
【００１７】
また、かつらベースの外縁部と内側部に仮想形成された区画の大きさを一辺が０．５〜２．０ｃｍのほぼ矩形とすれば、前記の効果を確実に上げることができる。また、かつらベースに植設する複数色の毛髪において、色の種類が２色、３色または４色のいずれか１つの色の組み合わせにすることにより前記効果を確実にあげることができる。
【００１８】
また、相対的に一番明るい色の毛髪をかつらベースの外縁部の前頭部中心に位置する植設区画に植設することにより前述とほぼ同一の効果を上げることができる。
【００１９】
また、前記植設する毛髪の色の配列順が、前記外縁部においては、前記かつらベースの前頭部中心に位置する前記植設区画に相対的に一番明るい色の毛髪を配置し、該植設区画を起点に左右対称に相対的明るい色の毛髪から順に繰り返しに配列され、他方、内側部においては、前記かつらベースの前頭部から後頭部にかけて相対的に明るい色の毛髪から順に繰り返し配列されているから本発明の効果を確実に上げることができる。
【００２０】
外縁部および内側部をネットからなるかつらベースとし、稜線である結び糸が前記植設区画と重なり合うようにすれば、この結び糸に植設される毛髪が前記植設区画に対応する種類の色の毛髪からなり、人工皮膚によるかつらベースの場合とほぼ同一の効果を上げることができる。
【００２１】
外縁部および内側部をネットからなるかつらベースとし、稜線である結び糸が前記植設区画と重なり合うようにすれば、この結び糸に植設される毛髪が重なり合う前記内側部区画の色と同一の色の毛髪を前記植設区画の下端部及び右端部に植設するから人工皮膚によるかつらベースの場合と同一の効果を上げることができる。
【００２２】
外縁部および内部をネットからなるかつらベースとし、稜線である結び糸が前記植設区画と重なり合うようにすれば、この結び糸に植設される毛髪が重なり合う前記外縁部区画の色と同一の色の毛髪を前記植設区画の下端部、右端部および上端部に植設することにより人工皮膚によるかつらベースの場合とほぼ同一の効果を上げることができる。
【発明を実施するための最良の形態】
【００２５】
以下、本発明の複数色の毛髪を植設してなるかつらの製造方法の実施の形態について図面を参照して詳述する。
【００２６】
まず、かつらベースに各色の毛髪を植設する位置（以下、区画と称す）を設定することから始める。最初に例えば、ポリ塩化ビニルなどの合成樹脂製のシートを加熱してかつら装着者頭部形状の雌型を作製し、そこに図１に示すように外周線１を記入する。次にこの外周線１の内側に例えば１．５ｃｍの間隔をおいて外周線１とほぼ同形状の内周線２に記入し、外周線１と内周線２に挾まれた部分を外縁部３とする。区画の間隔は０．５〜２．０ｃｍの範囲が好ましい。
【００２７】
この間隔が０．５ｃｍ以下では区画ごとに植設する毛髪が少なくなるため植設をした各色の毛髪のメリハリが無くなってしまい、植設する毛髪の色によっては付け毛をしているように見えてしまうため所望のグラデーション効果が得られない。またこの間隔が２．０ｃｍ以上の場合は、区画ごとに植設した毛髪群の色の差だけが目立ってしまい所望のグラデーション効果が得られないのである。
【００２８】
このように形成された外縁部３に毛髪を植設する区画を設定する。なお、内周線２の内側を内側部３′とする。
第１段階は、図２で示すようにかつら前頭部から後頭部にかけての長さを２等分する線を記入し、これを横中心線４とする。次いでかつら左部から右部にかけての長さを２等分する線を記入し、これを縦中心線５とし、横中心線４及び縦中心線５が交差する点を中心点６とする。
【００２９】
第２段階は、図３に示すように外縁部３と縦中心線５がかつら前頭部の内周線２と交わる点７を起点として直線距離で左右０．７５ｃｍの位置に印８ａ，８ｂを付ける。そして中心点６と８ａ，８ｂとを直線９ａ，９ｂで結び、この直線９ａ，９ｂを外縁部３内に延長し直線１０ａ，１０ｂを求める。この作業で外周線１，内周線２，１０ａ，１０ｂで囲まれた部分を区画１１とする。
【００３０】
第３段階は、上記のように設定した区画１１を中心として区画１１に隣接する区画を順次設定していく。図４に示すように区画１１の設定時に付けた印８ａから左側に直線で１．５ｃｍの位置に印１２ａを付ける。同様に印８ｂから右側に直線で１．５ｃｍの位置に印１２ｂを付ける。次に中心点６と１２ａ，１２ｂとを直線１３ａ，１３ｂで連結し、この直線１３ａ，１３ｂを外縁部３まで延長し、直線１４ａ，１４ｂを求める。この作業で外周線１，内周線２，１０ａ，１４ａで囲まれた部分を区画１５，外周線１，内周線２，１０ｂ，１４ｂで囲まれた部分を区画１６とする。
【００３１】
同様に前記第３段階の作業を繰り返して外縁部３上に同様に区画を設定し、かつらの後頭部に差し掛かった時に図５で示すように区画２１ａ′，２１ｂ′の端部の印２１ａ，２１ｂの直線距離２１が３ｃｍ以下になった時点で区画の設定作業を終了する。
【００３２】
次に、第４段階として内側部３′の区画設定を行う。まず最初にかつらの前頭部から後頭部にかけての縦線を記入していく。図６に示すように、縦中心線５を起点として左右に０．７５ｃｍの位置に印を付けて内周線２の位置まで直線１７ａ，１７ｂを記入する。続いて直線１７ａ，１７ｂを起点として左右１．５ｃｍの位置に印を付けて内周線２の位置まで直線１８ａ，１８ｂを記入する。この作業を繰り返して、図７のようにかつらの左右の内周線２と記入した直線２２ａ′，２２ｂ′との直線距離が２２ａ，２２ｂが１．５ｃｍ以下になった時点で縦線記入を終了する。
【００３３】
第５段階としてかつらの左部から右部にかけての横線を記入していく。図８に示すように、横中心線４を起点として上下に０．７５ｃｍの位置に印を付けて内周線２の位置まで直線１９ａ，１９ｂを記入する。続いて直線１９ａ，１９ｂを起点として左右１．５ｃｍの位置に印を付けて内周線２の位置まで直線２０ａ，２０ｂを記入する。この作業を繰り返して、図９のようにかつらの上下の内周線２と記入した直線２３ａ′，２３ｂ′との直線距離２３ａ，２３ｂが１．５ｃｍ以下になった時点で横線記入を終了する。
【００３４】
このように前記第１段階から第５段階の作業を行うことで、図９に示すような１．５ｃｍ角の格子状の区画が設定される。実施例において、１．５ｃｍの間隔で区画を設定したが、これに拘らず所望する間隔で区画を設定しても問題なく、区画の形状も正方形だけでなく長方形に設定することが可能である。
【実施例１】
【００３５】
次に、かつらに仮想形成した区画への毛髪の植設方法を説明する。
本実施例では、３色の毛髪を植設する場合について説明するが、勿論、これに限定するものではない。３色の中で最も暗い色である毛髪を暗色毛髪群Ｄ、最も明るい色である毛髪を明色毛髪群Ｌとし、前記暗色毛髪群Ｄと明色毛髪群Ｌとの間の明るさの毛髪を中間色毛髪群Ｍとする。例えば、中間色毛髪群Ｍを自毛に近い色にした場合には自毛より明るい色が明色毛髪群Ｌ、自毛より暗い色が暗色毛髪群Ｄとなる。これら毛髪群の配列順はＬ、Ｍ、Ｄの順で行う。
【００３６】
まず、かつらの装着者の頭部雌型に成型した熱可塑性合成樹脂製シート上に前記図９に示した区画を仮想形成する。次に、図１０に示すように、この区画の外縁部３の前頭部の区画１１にＬを記入する。次に、図１１に示すように区画１１を中心として区画１５にＭ，区画１６にＭ，区画２４にＤ，区画２５にＤと記入する。即ち、区画１１，１５，２４がＬ、Ｍ，Ｄの配列になり、区画１１、１６，２５がＬ、Ｍ、Ｄの配列となる。同様にＬ，Ｍ、Ｄの配列順に従って外縁部３の区画内にＬ、Ｍ、Ｄの符号を記入していくと、図１１が作成される。
【００３７】
次に、内側部３′の区画１１の下側に隣接する区画２６及びこの区画２６の下側に隣接する区画２７に、Ｍ及びＤを記入し、Ｌ，Ｍ，Ｄの配列順に従って区画１１から真直に下がる区画内にＬ、Ｍ、Ｄの符号を後頭部まで順次記入していくと図１３のように作成される。
【００３８】
次に、図１３に示す区画１１を起点として右斜め下の区画２８に図１４に示すように、明色毛髪群Ｌと記入し、同様に区画２８の右斜め下の区画２９をＬと記入して順次この作業を繰り返すことによって右肩下がりに位置する区画に明色毛髪群Ｌを記入していく。続いて区画２６を起点として右斜め下の区画３０に中間色毛髪群Ｍと記入し、同様に右肩下がりの位置でＭを記入していく。続いて区画２７を起点として、左斜め上の区画３２にＤと記入する。同様にかつら前部部からかつら後頭部にかけてＬ、Ｍ，Ｄの順で、縦中心線５を挟んで右側部分は右肩下がり、縦中心線５を挟んで左側部分は左肩上がりとなるように記入作業を繰り返して順に記入していくと図１４のように作成される。
【００３９】
図１４に示す前述の毛色記入作業でまだ記入されていない内側部３′のかつら右前部分３ａ（点線部）とかつら左後部分３ｂ（点線部）の記入を行う。最初にかつら右前部分３ａ（点線部）の記入作業を行う。まず、図１５に示すように区画２８の右に隣接している区画３３にＤと記入し、区画３３がＤとなる理由は、区画２８は前述の毛色記入作業でＬと記入されており、上述のように縦中心線を挟んで右側部分は右肩下がりとするように毛色の記入作業を繰り返した結果、区画３４にはＬと記入されており、縦方向の配列順はＬＭＤとあるので区画３３はＤとなる。同様に区画３５、３６はＬＭＤの配列順の法則に従えば区画３５はＭ、区画３６はＤとなる。同様にＬＭＤの配列順の法則に従い、図１５に示すように残りの区画に記入作業を繰り返す。
【００４０】
次に、かつら左後部分３ｂの記入作業を行う。
かつらの縦中心線５上の最後部区画３７に記入した毛色によって、左に隣接する区画３８に記入する毛色が異なる。区画３7がＬの場合、区画３８はＭとなる。区画３7がＭの場合、区画３８はＤとなる。区画３７がＤの場合、区画３８はＬとなる。本例では、区画３７はＭであるため、左に隣接している区画３８はＤとなる。この理由は、区画３７がＭと記入されており、前述のように縦中心線５を挟んで左側部分は左肩上がりとするように毛色の記入作業を繰り返した結果、区画３９にはＭと記入されており、縦方向の配列順はＬＭＤとあるので区画３８はＤとなる。同様に区画４０,４１はＬＭＤの配列順の法則に従えば区画４０はＤ、区画４１はＬとなる。同様にＬＭＤの配列順に従い、図１５に示すように残りの区画に前述と同様に記入作業を繰り返す。図１６に示したものは全ての区画へ毛色の記入が終了した完成図である。
【００４１】
区画の設定において、外縁部と内側部を設けている理由は、区画１１に記入したＬを中心として左右対称に外縁部の区画の毛色を記入することにより、植設したかつらの毛髪をどの方向からみても、かつらの端部における毛色の配列が揃っており、より自然なグラデーションを出すことができる。外縁部の区画を設けず内側部のみの区画を設けて毛髪を植設した場合、内側部における左右の毛色が異なるため不自然に見えてしまうからである。
【００４２】
区画の毛色の配列順をＬ,Ｍ,Ｄとする理由は、まず外縁部の区画の毛色を決めるための起点となる区画１１をＬとしているため、毛髪群の配列の選択肢はＬ,Ｍ,Ｄか、又はＬ,Ｄ,Ｍとなり、もし配列をＬ,Ｍ,Ｄとした場合、前頭部付近の外縁部の毛髪の色が区画１１のＬから区画１５,１６のＤと変わることにより色の差が大きくなり、かつらを装着したときに前頭部が部分的に目立ってしまう可能性があるが、この配列順をＬ,Ｄ,Ｍとした場合は、Ｌとした区画１１から少しずつ色が暗くなっていくような配列順であることと、区画１１の毛髪の色Ｌと区画１１の両隣に隣接する区画１５及び区画１６の毛髪の色Ｍとが混ざり合い、より自然なグラデーションを出すことができるからである。
【００４３】
また、内側部においては、図１７に示した内側部の拡大図のように、区画の毛色は縦方向にＬＭＤＬＭＤと記入され、同一色の区画を斜めに記入するように設定している。もし、図１８に示した内側部の拡大図のように、同一色の区画を真横に配置するように設定した場合、縦方向にＤとＬが隣接する部位４５を真横に配置することになり、各毛色群の色の毛色の差が目立ってしまい見た目を損なう可能性がある。そこで、図１７に示すように、同一色の区画を斜めに配置するように設定することにより、縦方向にＤ、Ｌが隣接する部位４２の左隣の縦方向に隣接している部位４３がＬとＭ、部位４２の右隣の縦方向に隣接している部位４４がＭとＤとなり、この左隣の部位４３または右隣の部位４４の毛色の差は部位４２におけるＤとＬの毛色の差よりも少なく、ＤとＬが隣接する部位４２における毛色の差を両隣に位置する部位４３,４４の存在で柔らげることができるため、自然なグラデーション効果を出すことができる。
【００４４】
各毛色を植設する区画は、前記のように記入すればＬ，Ｍ，Ｄの各区画はほぼ均等になるが、同一色が右肩下がりになるように配置すると、どのようなスタイルにも対応ができる。植設する毛色については、前記の３色に限定されるものではなく、何色でも使用することが可能であるが、５色以上の毛色を使用すると、区画に記入する毛色が増えて多数の毛色が混ざることによってブレンドミックスしたものをランダムに植設した場合の状態と変わらなくなってしまい、グラデーション効果を出すことにつながらないため、使用する毛色は２色から４色であることが望ましい。また、本実施例では、微細なカラーグラデーション効果を出すことによって外観上自然なかつらを作るためにＬ，Ｍ，Ｄの配列順にて毛色の配置に規則性を持たせているが、例えば、ＬＭＬＭＤやＭＭＤＬＤなど他の配列順にすることにより、かつらに植設する毛髪のＬ，Ｍ，Ｄの割合を好みに応じて変えることも可能である。
【００４５】
次に、記入した毛色の記入に基づいて毛髪の植設を行う場合は、熱硬化性樹脂からなる装着者頭部型の上に前記記入作業により、毛色の記入が終了したかつら装着者頭部の雌型に成型したポリ塩化ビニルを所定の位置に合わせて貼り合わせる。次に、更にその上に、かつらベースを配置してさらに植設する区画を確認しながらかつらベースの所定の位置に所定の色の毛髪を植設する。
【００４６】
本発明において、２色の毛髪を植設する場合の区画の配列を図１９に示す。この図１９は、相対的に暗い色である毛髪を暗色毛髪群Ｄとし、相対的に明るい色である毛髪を明色毛髪群Ｌとした場合において毛髪群の配列順をＬ，Ｄの順にして植設する場合の実施例であり、この区画設定により自然なグラデーション効果を出すことができる。
【００４７】
本発明において、４色の毛髪を植設する場合の植設区画の配列を図２０に示す。この図２０は、４色のなかでも最も暗い色である毛髪を暗色毛髪群Ｄとし、最も明るい色である毛髪を明色毛髪群Ｌとし、その他の暗色毛髪群Ｄと明色毛髪群Ｌとの間の明るさを持つ毛髪のうち相対的に暗い色である毛髪を中間色毛髪群Ｍとし、前記明色毛髪群Ｌと中間色毛髪群Ｍとの間の明るさの毛髪を明中間毛髪群ＭＬとした場合において毛髪群の配列順をＬ，ＭＬ、Ｍ、Ｄの順にして植設する場合の実施例であり、この区画設定により自然なグラデーション効果を出すことができる。
【００４８】
複数色の毛髪を所定割合で植設することにより、ブレンドミックスに見られるような毛髪の分散不十分による色の偏りが発生せず、思い通りの色や微細なグラデーション効果を正確に表現できる。また、微細なグラデーション効果による見た目の立体感により自然感を向上させることができるため、他人からかつらを装着していることが判りにくくなる利点がある。予め、植設を行う毛色区画を設定することにより、従来のように植設する際に所定部位を細かく指示する必要がなくなり、植設する毛髪の色数を最小限に抑えてグラデーション効果を出すことができる。
【実施例２】
【００４９】
前記の実施例１では、かつらの内側部３′が軟質合成樹脂の人工皮膚からなるかつらベースについて説明したが、かつらとしてはネットからなるものも多い。実施例２は、このネットのかつらの場合についての複数色の毛髪を植設するかつらについて説明する。
【００５０】
まず、図２１のかつらはネットのネット目４６が正方形の場合であって区画と４５°で交差するものが示され、図２２はネット目４６が菱形であって区画と傾斜して交差するものが示されている。これらの場合には図２１及び図２２に示すように区画の境界線とネット目４６とが重なり合っておらず、ネット目４６にはそのネット目４６のある位置の区画の色と同一色の毛髪を稜線に植設することができる。
【００５１】
一方、図２３及び図２4の場合はネットのネット目４６が区画の境界線に正確に重なり合ったものが示されている。この場合には、まず、図２３の内側部においては重なり合っている区画の色と同一の色の毛髪が下端部及び右端部に植設される。一方、図２４に示すように、外縁部では重なり合っている区画の色と同一の色の毛髪が下端部，右端部及び上端部に植設される。
【産業上の利用可能性】
【００５２】
以上の説明では、軟質合成樹脂の人工皮膚または合成樹脂からなるネットを外縁部や内側部に形成するかつらについて説明したが、かつら形状や外縁部形態、内側部形態は各種のものが存在する。しかし、これらに対しても前記と同様に植設区画を設定して毛髪を植設することが可能であり、本発明の利用範囲は極めて広い。
【図面の簡単な説明】
【００５３】
【図１】乃至
【図２０】本発明かつらベースの外縁部や内側部に形成するかつらの毛髪の植設方法を順次説明するための模式的平面図である。
【図２１】乃至
【図２４】本発明のかつらベースがネットである外縁部や内側部に形成するかつらの毛髪の植設方法を順次説明するための模式的平面図である。
【符号の説明】
【００５４】
１        外周線
２        内周線
３        外縁部
３′      内側部
４        横中心線
５        縦中心線
６        中心点
７        点
８        印
９、１０    直線
１１      区画
１２      点
１３、１４  直線
１５、１６  区画
１７〜２０  直線
２１      直線距離
２１      区画
２２      直線距離
２２      直線
２３      直線距離
２３      直線
２４〜４１  区画
４２〜４５      部位
４６      ネット
【図１】
0004761440.tif 000002
【図２】
0004761440.tif 000003
【図４】
0004761440.tif 000004
【図５】
0004761440.tif 000005
【図６】
0004761440.tif 000006
【図７】
0004761440.tif 000007
【図８】
0004761440.tif 000008
【図９】
0004761440.tif 000009
【図１０】
0004761440.tif 000010
【図１１】
0004761440.tif 000011
【図１２】
0004761440.tif 000012
【図１３】
0004761440.tif 000013
【図１４】
0004761440.tif 000014
【図１５】
0004761440.tif 000015
【図１６】
0004761440.tif 000016
【図１７】
0004761440.tif 000017
【図１８】
0004761440.tif 000018
【図１９】
0004761440.tif 000019
【図２０】
0004761440.tif 000020
【図２１】
0004761440.tif 000021
【図２２】
0004761440.tif 000022
【図２３】
0004761440.tif 000023
【図２４】
0004761440.tif 000024
【図３】
0004761440.tif 000025